(57)【特許請求の範囲】
【請求項１】
外部に水を排出するための樋を有する採光屋根における水下部構造であって、
前記樋の少なくとも下方に配置された第１の水吹き込み防止部材と、
前記樋及び前記第１の水吹き込み防止部材よりも水下側に配置された第２の水吹き込み防止部材と、
前記第２の水吹き込み防止部材の上部に配置された採光部を形成する複数の中空合成樹脂部材と、を有し、
前記樋が、前記第１の水吹き込み防止部材を貫通している、ことを特徴とする水下部構造。
【請求項２】
更に、前記複数の中空合成樹脂部材及び前記第２の水吹き込み防止部材を覆うように配置された水下部カバーを有する、請求項１に記載の水下部構造。
【請求項３】
外部に水を排出するための樋を有する採光屋根における水下部構造であって、
前記樋の少なくとも下方に配置された第１の水吹き込み防止部材と、
前記樋及び前記第１の水吹き込み防止部材よりも水下側に配置された第２の水吹き込み防止部材と、
前記第２の水吹き込み防止部材の上部に配置された採光部を形成する複数の中空合成樹脂部材と、
前記複数の中空合成樹脂部材及び前記第２の水吹き込み防止部材を覆うように配置された水下部カバーと、
を有することを特徴とする水下部構造。
【請求項４】
前記樋の水下側先端部は、前記第１の水吹き込み防止部材と前記第２の水吹き込み防止部材の間に配置される、請求項１〜３の何れか一項に記載の水下部構造。
【発明の詳細な説明】
【技術分野】
【０００１】
本発明は、採光屋根の水下部構造に関し、特に、屋根の採光用開口部に中空合成樹脂板を張設してなる採光屋根の水下部構造に関する。
【背景技術】
【０００２】
金属製の折板屋根に採光性を持たせるために、その一部に一定幅の採光用開口部を設けて、開口部にポリカーボネイト樹脂やアクリル樹脂等の透明樹脂からなる採光板を張設することにより採光屋根を構成することが知られている。
【０００３】
また、金属製の折板屋根に採光性を持たせるために、その一部に一定幅の採光用開口部を設けて、開口部に、金属製の折板屋根の長手方向に沿って複数の中空合成樹脂板を組み合わせて張設することにより採光屋根を構成することが知られている（例えば、特許文献１参照）。
【先行技術文献】
【特許文献】
【０００４】
【特許文献１】特開２００６−２４１８０４号公報
【発明の概要】
【発明が解決しようとする課題】
【０００５】
しかしながら、そのような採光屋根の水下部は特別な吹き込み防止構造を有していないかったため、水下部から、雨水等が浸入してしまうという不具合が発生する場合があった。
【０００６】
そこで、本発明は、上記の不具合を解消することを目的とした採光屋根の水下部構造を提供することを目的とする。
【０００７】
また、本発明は、採光屋根の水下部から、雨水等の浸入を効果的に防止することを可能とする水下部構造を提供することを目的とする。
【課題を解決するための手段】
【０００８】
上記課題を解決するために、本発明に係る水下部構造では、樋の少なくとも下方に配置された第１の水吹き込み防止部材と、樋及び第１の水吹き込み防止部材よりも水下側に配置された第２の水吹き込み防止部材と、第２の水吹き込み防止部材の上部に配置された採光部を形成する複数の中空合成樹脂部材を有することを特徴とする。
【０００９】
また、本発明に係る水下部構造では、樋が、第１の水吹き込み防止部材を貫通していることが好ましい。
【００１０】
さらに、本発明に係る水下部構造では、複数の中空合成樹脂部材及び第２の水吹き込み防止部材を覆うように配置された水下部カバーを有することが好ましい。
【００１１】
さらに、本発明に係る水下部構造では、樋の水下側先端部は、第１の水吹き込み防止部材と第２の水吹き込み防止部材の間に配置されることが好ましい。
【発明の効果】
【００１２】
本発明によれば、第１の水吹き込み防止部材及び第２の水吹き込み防止部材によって、２重に採光屋根の水下部を保護しているので、水下部から雨水等の侵入を効果的に防止することが可能となった。
【図面の簡単な説明】
【００１３】
【図１】本発明に係る水下部構造を有する採光屋根の外観の一例を示す図である。
【図２】図１のＡＡ´断面図である。
【図３】（ａ）は、採光屋根１０における連結構造５の分解斜視図であり、（ｂ）は（ａ）に対応した部分断面図である。
【図４】採光屋根の組み立て手順を説明するための図（１）。
【図５】採光屋根の組み立て手順を説明するための図（２）。
【図６】採光屋根の組み立て手順を説明するための図（３）。
【図７】採光屋根の組み立て手順を説明するための図（４）。
【図８】採光屋根の組み立て手順を説明するための図（５）。
【図９】採光屋根の組み立て手順を説明するための図（６）。
【図１０】採光屋根の組み立て手順を説明するための図（７）。
【図１１】採光屋根の組み立て手順を説明するための図（８）。
【図１２】採光屋根の組み立て手順を説明するための図（９）。
【図１３】（ａ）は採光屋根の組み立て手順を説明するための図（１０）であり、（ｂ）はその変形例を示す図である。
【図１４】採光屋根の組み立て手順を説明するための図（１１）。
【図１５】採光屋根の組み立て手順を説明するための図（１２）。
【図１６】採光屋根の組み立て手順を説明するための図（１３）。
【図１７】採光屋根の組み立て手順を説明するための図（１４）。
【発明を実施するための形態】
【００１４】
以下、本発明に係る採光屋根の水下部構造を図面を参照しながら説明する。但し、本発明は以下の説明に限定されず、特許請求の範囲に記載された発明とその均等物に及ぶ点に留意されたい。
【００１５】
図１は、本発明に係る水下部構造を有する採光屋根の外観の一例を示す図である。
【００１６】
図１に示す様に、採光屋根１０が、屋根構造のもや２及び３上に固定された金属製の折板屋根１上に配置されている。なお、図中右上側が水上側であり、図中左下側が水下側である。金属製の折板屋根１は、水上側にある屋根の頂上部から水下側に所定の角度を持って傾斜するように配置されている。
【００１７】
図２は、図１のＡＡ´断面図である。
【００１８】
図２に示す様に、中空合成樹脂板８０及び８１は、中央部の連結構造５（図３参照）で、押し縁２８とボルト受け２６とがボルト９０で結合されることによって連結されている。また、中空合成樹脂板８０及び８１の端部は、コーナーサポート９２によって保護されている。コーナーサポート９２及び側面板４１は第１縦材１５に固定され、コーナーサポート９２及び側面板４０は第２縦材１６に固定されている。コーナーサポート９２の外側には、サイドカバー４３及び４４（図１７参照）が配置され、側面を覆う構成となっている。
【００１９】
中空合成樹脂板８０及び８１の下には、不燃性部材６０及び６１が配置され（図１４参照）、中空合成樹脂板８０及び８１に飛火等が落ちてきた場合にも、そのまま火種が採光屋根１０の下方に落下しない構成となっている。なお、不燃性部材６０及び６１としては、透光性を有する不燃部材であって、例えば、ガラスクロス、パンチングメタル、金属メッシュ、不織布、織布、不燃紙、ガラスペーパ等を利用することが可能である。
【００２０】
図３（ａ）は、採光屋根１０における連結構造５の分解斜視図であり、図３（ｂ）は図３（ａ）に対応した部分断面図である。
【００２１】
図３（ａ）及び（ｂ）に示される様に、押し縁２８とボルト受け２６との間に、第１の中空合成樹脂板８０及び第２の中空合成樹脂板８１が挟み込まれるように配置され、ボルト９０と、ボルト受け２６の上側に配置される第１ナット９１−１及び押し縁２８の上側に配置される第２ナット９１−２によって、押し縁２８とボルト受け２６とが固定されている。また、ボルト受け２６と縦樋２４との間に、第１の不燃性部材６０及び第２の不燃性部材６１が挟み込まれるように配置されている。さらに、押し縁２８と第１の中空合成樹脂板８０及び第２の中空合成樹脂板８１との間にはパッキン１００が配置され、第１の中空合成樹脂板８０及び第２の中空合成樹脂板８１と、ボルト受け２６のフランジ部との間には、パッキン１０２が配置されている。
【００２２】
第１長尺部材としてのボルト受け２６の下方には、第２長尺部材としての縦樋２４が配置されている。したがって、押し縁２８と第１の中空合成樹脂板８０及び第２の中空合成樹脂板８１との隙間、又は押し縁２８のボルト用穴２８ａ及びボルト受け２６のボルト用穴２６ａから水が浸入しても、縦樋２４の凹部に水が溜まり、縦樋２４をつたって、採光屋根１０の水下側から金属製の折板屋根１上に排出されるので、採光屋根１０の下に水が漏れることが無い。
【００２３】
なお、縦樋２４は、後述する３つの縦樋固定器具２０〜２２によって、第２横枠１２、第３横枠１３及び第４横枠１４に固定されているが、図３には、縦樋固定器具２０を示していない。なお、縦樋固定器具の個数は特に限定されることはなく、強度等を勘案し適宜使用すればよい。
【００２４】
このように、採光屋根１０では、第１の中空合成樹脂板８０及び第２の中空合成樹脂板８１の下方には、第１の中空合成樹脂板８０及び第２の中空合成樹脂板８１を連結させる役目及び侵入した水を受ける役目を果たすボルト受け２６が配置され、さらにその下に更に水を受ける役目を果たす縦樋２４が配置されている。したがって、第１の中空合成樹脂板８０及び第２の中空合成樹脂板８１の下に水が回り込むこととなっても、第１長尺部材としてのボルト受け２６及び第２長尺部材としての縦樋２４によって、水を外部に排出することが可能となるので、採光屋根１０から下に水が漏れることを防止することが可能となる。
【００２５】
以下、採光屋根１０の組み立て手順について図４〜図１７を用いて説明を行う。
【００２６】
図４は、採光屋根の組み立て手順を説明するための第１の説明図であり、金属製の折板屋根１の一部を取り外して開口部９を構成した状態を示している。
【００２７】
折板屋根１は、屋根構造のもや２及び３上に固定された第１タイトフレーム６及び第２タイトフレーム７にビス等で固定されている。第１及び第２タイトフレーム６及び７は、折板屋根１の凹凸形状に合致する凹凸形状を有している。また、図１、４及び５では、折板屋根１は、１枚の板で構成されているが、実際には複数の板を組み合わせた構成となっている。
【００２８】
図５は、採光屋根の組み立て手順を説明するための第２の説明図であり、金属製の折板屋根１の開口部５上に、枠構造８を配置した状況を示している。
【００２９】
枠構造８は、屋根構造の水下側に配置された第１横枠１２及び水上側に配置された第２横枠１４と、それらの上に配置された第１縦枠１５及び第２縦枠１６と、第１横枠１２及び第２横枠１４の中間部に配置された第３横枠１３、第１横枠１２の更に水下側に配置されたカバー止め用横枠１１等から構成される。カバー止め用横枠１１、第１横枠１２、第３横枠１３及び第４横枠１４は、断面コの字状の鉄骨から構成され、第１縦枠１５及び第２縦枠１６は、断面Ｃの字状の鉄骨から構成されている。
【００３０】
第１横枠１２はボルト（不図示）により第１タイトフレーム６に固定され、第２横枠１４はボルト（不図示）により第２タイトフレーム７に固定され、第１縦枠１５及び第２縦枠１６はボルト（不図示）によりそれぞれ第１横枠１２及び第２横枠１４と固定されている。また、カバー止め用横枠１１はボルト（不図示）により第１縦枠１５及び第２縦枠１６に固定され、第３横枠１３はボルト（不図示）により第１縦枠１５及び第２縦枠１６に固定されている。
【００３１】
第３横枠１３は、もや２及び３の中間部分で且つもやが存在しない箇所で折板屋根１とビス（不図示）により固定されている。したがって、第３横枠１３によって、その下方の折板屋根１の強度が補強されるという作用効果がある。
【００３２】
図６は、採光屋根の組み立て手順を説明するための第３の説明図であり、下枠に縦樋固定器具２０〜２２を取り付けた状況を示している。
【００３３】
図６に示される様に、後述する縦樋２４を固定するための３つの縦樋固定器具２０〜２２が、溶接によって、それぞれ第１横枠１２、第３横枠１３及び第２横枠１４に固定されている。
【００３４】
図７は、採光屋根の組み立て手順を説明するための第４の説明図であり、縦樋２４を取り付けた状況を示している。
【００３５】
図７（ａ）に示される様に、縦樋２４が、図中上側が水上側となり、図中下側が水下側となるように、３つの縦樋固定器具２０〜２２の上に取り付けられている。縦樋２４は、図示されるように、排水経路として利用可能な凹部を有しているので、その中に侵入した水は、縦樋２４を通って、図中下側に排出されることとなる。
【００３６】
図７（ｂ）は、図７（ａ）の水下部の上面図である。図７（ｂ）に示されるように、縦樋２４は、第１縦枠１５及び第２縦枠１６の水下側の先端より幅ｗ１（例えば、１０ｍｍ）だけ突出するように配置される。
【００３７】
図８は、採光屋根の組み立て手順を説明するための第５の説明図であり、第１吹き込み防止板３０を取り付けた状況を示している。
【００３８】
図８（ａ）に示す様に、第１吹き込み防止板３０は、ビス３１によってカバー止め用横枠１１に取り付けられる。図８（ｂ）は図８（ａ）を矢印Ｂ側から見た側面図である。第１吹き込み防止板３０は、図８（ｂ）に示されるように、カバー止め用横枠１１の側面を覆うように、側面方向に折り曲げられている。
【００３９】
図９は、採光屋根の組み立て手順を説明するための第６の説明図であり、第２吹き込み防止板３３を取り付けた状況を示している。
【００４０】
第２吹き込み防止板３３は、図８（ａ）に示すように、第１縦枠１５及び第２縦枠１６の水下側端部に貼付されたブチルテープ１２０によって、図９（ａ）に示すように、第１縦枠１５及び第２縦枠１６に固定される。
【００４１】
図９（ｂ）は、図９（ａ）におけるＣＣ´断面図である。図９（ｂ）に示すように、第２吹き込み防止板３３は、第１縦枠１５及び第２縦枠１６の水下側端部から突出した縦樋２４の先端部を覆うように、その前面側に配置されることとなる。したがって、縦樋２４をつたって、水上側から流れてくる水は、第１吹き込み防止板３０と第２吹き込み防止板３３との間に、排出されることとなる。
【００４２】
図９（ｃ）は、図９（ｂ）の変更例を示す図である。図９（ｂ）の例では、縦樋２４の下方に第１吹き込み防止板３０を配置したが、図９（ｃ）の例では、第１吹き込み防止板３０´に開口部を設け、縦樋２４が第１吹き込み防止板３０´の開口部を貫通して、縦樋２４の先端部が第１吹き込み防止板３０と第２吹き込み防止板３３との間に位置されるように構成した。図９（ｃ）の例では、第１吹き込み防止板３０を図９（ｂ）に示すように複数回折り曲げる必要がなく、作成コストを押させることが可能となる。
【００４３】
図１０は、採光屋根の組み立て手順を説明するための第７の説明図であり、側面板４０及び４１を取り付けた状況を示している。
【００４４】
側面板４０及び４１は、第１縦枠１５及び第２縦枠１６上に貼付されたブチルテープ又はシール材（不図示）及びビス（不図示）によって、第１縦枠１５及び第２縦枠１６に固定される。なお、側面板４０及び４１は折板屋根１の凹凸形状に合うように、それらの先端部４０Ａ及び４１Ａが折り曲げられている。
【００４５】
図１１は、採光屋根の組み立て手順を説明するための第８の説明図であり、第１後板５０を取り付けた状況を示している。
【００４６】
第１後板５０は、接着材によって側面板４０及び４１の上に固定される。
【００４７】
図１２は、採光屋根の組み立て手順を説明するための第９の説明図であり、第２後板５１を取り付けた状況を示している。
【００４８】
第２後板５１は、第１縦枠１５及び第２縦枠１６上に貼付されたブチルテープ（不図示）及びビス（不図示）によって、第１縦枠１５及び第２縦枠１６に、第１後板の上側端面を覆うように固定される。第２後面５１によって、第１縦枠１５及び第２縦枠１６の水上側端部、及び縦樋２４の水上側端部が覆われる。
【００４９】
図１３（ａ）は、採光屋根の組み立て手順を説明するための第１０の説明図であり、ボルト受け２６を取り付けた状況を示している。
【００５０】
図１３（ａ）に示す様に、縦樋２４の上に、ボルト受け２６が配置される。また、６本の横ガイド２７−１〜２７−６で、縦樋２４と第１縦枠１５及び第２縦枠１６とをビス（不図示）により固定する。即ち、横ガイド２７−１〜２７−６は、ビスによって一方の端部で縦樋２４と接続され、ビスによって他方の端部で第１縦枠１５又は第２縦枠１６と接続されることとなる。ボルト受け２６は、横ガイド２７−１〜２７−６と縦樋２４とがビス留めされる箇所では、所定の凹部を有し、横ガイド２７−１〜２７−６と縦樋２４との接続を妨害しないように構成されている。
【００５１】
図１３（ｂ）は、ボルト受け２６の変形例を示す部分図である。図１３（ａ）では、ボルト受け２６は、横ガイド２７−３及び２７−４の箇所でフランジ部分に凹部が形成されていた。しかしながら、図１３（ｂ）では、ボルト受け２６を第１部分２６−１と第２部分２６−２に分割して、スペースを形成し、横ガイド２７−１〜２７−６と縦樋２４との接続を妨害しないように構成されている。図１３（ｂ）に記載されるように、ボルト受け２６は、適宜、複数の部材に分割するようにしても良い。
【００５２】
図１４は、採光屋根の組み立て手順を説明するための第１１の説明図であり、不燃性部材６０及び６１を取り付けた状況を示している。
【００５３】
最初に、図１３（ａ）に記載されるように横ガイド２７−１〜２７−６上及び第１縦枠１５及び第２縦枠１６上の点線箇所１２４に、ブチルテープを貼付して、その上に、不燃性部材６０及び６１配置する。また、不燃性部材６０及び６１の中央側端部は、ボトル受け２６の枠部分２６−１〜２６−４で、縦樋２４の枠部分との間に挟み込むように配置する。なお、サイズの大きい不燃性部材を乗せた後に、カッター等で所定のサイズに切断するようにしても良い。
【００５４】
次に、縦不燃性部材押さえガイド７０及び７１を、それぞれ第１縦枠１５及び第２縦枠１６上にビス止めし、横不燃性部材押さえガイド７２〜７５を、横ガイド２７−１、２７−２、２７−５及び２７−６上にビス止めする。これらの処理によって、不燃性部材６０及び６１が、固定される。
【００５５】
図１５は、採光屋根の組み立て手順を説明するための第１２の説明図であり、中空合成樹脂板８０及び８１を取り付けた状況を示している。
【００５６】
図１５（ａ）に示す様に、中空合成樹脂板８０及び８１を不燃性部材６０及び６１の上にそれぞれ配置し、中空合成樹脂板８０及び８１の中央部を、押し縁２８を乗せた後、ボルト９０によって、ボルト受け２６との間に挟み込むように連結させる。また、中空合成樹脂板８０及び８１の端部は、複数のコーナーサポート９２でカバーされる。これらの処理によって、中空合成樹脂板８０及び８１は、不燃性部材６０及び６１の上にそれぞれ位置決めされる。
【００５７】
図１５（ｂ）は、コーナーサポート９２の立体図であり、コーナーサポート９２は、ビスによって、側板４０又は４１にそれぞれ固定される。コーナーサポート９２は、図１５（ｂ）に示す様に、側面がコの字状に形成された中空樹脂板をカバーする部分と、その部分と連続し側板に固定するためのネジ穴が形成された伸延部分を有している。
【００５８】
中空合成樹脂板８０及び８１は、透光性樹脂（ポリカーボネイト）を押し出し成形によって形成したものであって、内壁によって仕切られた複数の中空部を含んでいる。本実施例では、中空合成樹脂板８０及び８１はそれぞれ１枚の板で構成したが、複数の中空合成樹脂板を組み合わせて構成するようにしても良い。
【００５９】
図１６は、採光屋根の組み立て手順を説明するための第１３の説明図であり、水下カバー３５を取り付けた状況を示している。
【００６０】
図１６（ａ）に示す様に、水下カバー３５は中空合成樹脂板８０及び８１と押し縁２８の間に挿入するように配置され、図１５に示した第２吹き込み防止板３３上に配置したコの字状の固定具９５にネジ９６で固定する。これによって、中空合成樹脂板８０及び８１の水下側端部が覆われる。
【００６１】
図１６（ｂ）は、図１６（ａ）のＤＤ´断面図である。図１６（ｂ）によって、採光屋根１０の水下部が、第１吹き込み防止板３０、第２吹き込み防止板３３及び水下カバー３５によって３重に保護されていることが理解できる。
【００６２】
図１７は、採光屋根の組み立て手順を説明するための第１４の説明図であり、側面カバー４３及び４４、水上カバー５３を取り付けた状況を示している。
【００６３】
最初に、側面カバー４３及び４４は、中空合成樹脂板８０及び８１の側面端部を覆うように、コーナーサポート９２にビスで固定される。
【００６４】
最後に、水上カバー５３を、押し縁２８、側面カバー４３及び４４、及び中空合成樹脂板８０及び８１の水上側端部を覆うように配置して、側面カバー４３及び４４と、第２後板５２とにビス（不図示）で固定して、採光屋根１０の組立を終了する。
【００６５】
上記の採光屋根１０の例では、２枚の中空合成樹脂板８０及び８１（例えば、５００ｍｍ×５０００ｍｍ）を利用したが、２枚に限定されることなく、さらに多くの枚数を利用することも可能である。また、上記の採光屋根１０の例では、２枚の中空合成樹脂板８０及び８１を、金属製の折板屋根１の長手方向に平行に配置したが、これに限定されることなく、垂直方向に配置するようにしても良い。さらに、上記の採光屋根１０の例では、採光屋根１０を金属製の折板屋根１上に配置したが、他の屋根構造にも適用することが可能である。
【符号の説明】
【００６６】
１    金属製の折板屋根
２、３    もや
５    連結構造
６、７    タイトフレーム
８    枠構造
１０    採光屋根
１２    第１横枠
１３    第３横枠
１４    第２横枠
１５    第１縦枠
１６    第２縦枠
２０    縦樋固定器具
２４    縦樋
２６    ボルト受け
２８    押し縁
６０、６１    不燃性部材
８０、８１    中空合成樹脂板
９０    ボルト
９１−１、９１−２    ナット
【図１】
0005787572.tif 000002
【図２】
0005787572.tif 000003
【図３】
0005787572.tif 000004
【図４】
0005787572.tif 000005
【図５】
0005787572.tif 000006
【図６】
0005787572.tif 000007
【図７】
0005787572.tif 000008
【図８】
0005787572.tif 000009
【図９】
0005787572.tif 000010
【図１０】
0005787572.tif 000011
【図１１】
0005787572.tif 000012
【図１２】
0005787572.tif 000013
【図１３】
0005787572.tif 000014
【図１４】
0005787572.tif 000015
【図１５】
0005787572.tif 000016
【図１６】
0005787572.tif 000017
【図１７】
0005787572.tif 000018